(57)【要約】【課題】  本発明は、デスクパネル等のオプション部材の取付装置に関するもので、全体として安価に製作でき、作業性に優れ、見栄えを損なうことがなく、片袖机あるいは両袖机に取付可能なオプション部材取付装置を提供することを課題とする。【解決手段】天板の左右端部側下面の少なくとも一方に連結された袖キャビネットの前面側上端部に、袖キャビネットとほぼ同幅の化粧部材を設け、化粧部材の左右方向の所定位置に所定数の連結用凹部が形成され、連結凹部には凹部閉塞部材が前方から着脱自在に装着可能で、凹部閉塞部材が装着されていない状態で、前方からオプション取付金具が連結凹部に嵌入可能で、オプション取付金具は化粧部材の下方側から天板と連結されているものである。【選択図】図１９
2014226352.tif 000002
【特許請求の範囲】
【請求項１】
天板の左右端部側下面の少なくとも一方に連結された袖キャビネットの前面側上端部に、袖キャビネットとほぼ同幅の化粧部材を設け、化粧部材の左右方向の所定位置に所定数の連結用凹部が形成され、連結凹部には凹部閉塞部材が前方から着脱自在に装着可能で、凹部閉塞部材が装着されていない状態で、前方からオプション取付金具が連結凹部に嵌入可能で、オプション取付金具は化粧部材の下方側から天板と連結されている事を特徴とするデスクパネル取付装置。
【請求項２】
化粧部材は、前端面が天板前端面より後方に位置し、天板前端部下面と袖キャビネット上端前面部間に形成された化粧部材取付空間に前方から嵌入可能で、下方側から袖キャビネットに連結され、袖キャビネットと化粧部材の連結箇所を前方から隠蔽する隠蔽突部が、前端面に下方に突出して形成されている事を特徴とする請求項１に記載のデスクパネル取付装置。
【請求項３】
天板は前端部下面が後方に向かって下方に傾斜する天板傾斜面を有し、化粧部材は上面が前方に向かって下方に傾斜する化粧部材傾斜面を有し、天板傾斜面と化粧部材傾斜面間に作業用空間を形成したことを特徴とする請求項２に記載のデスクパネル取付装置。
【発明の詳細な説明】
【技術分野】
【０００１】
本発明は、デスクパネル等のオプション部材の取付装置に関するものである。
【背景技術】
【０００２】
従来、対向者、あるいは隣接者の視線を遮蔽し、執務の集中度を向上させるため、デスク間に対向者用としてフロントパネル、隣接者用としてサイドパネルパネルが机間に配設されている。
一般的に、天板の側端部側に配設されるサイドパネルは、天板後端部に配設されるフロントパネルの左右端部側に後端部が係止し、天板の側端面に位置する天板側面エッジの前端部側に形成された取付凹部に連結されて上方に突出する連結金具に、前端部が連結されていた。
そして、サイドパネルを配設しないときは、天板側面エッジの一部と外形が等しい着脱自在な凹部カバーを取付凹部に設けていた。（例えば特許文献１）
【０００３】
この場合、左右方向に複数台の机が並設された状態で、サイドパネルをあとから配設するには、各机をそれぞれ側方に移動させて、連結金具を取付凹部に連結する必要があり、作業性が非常に悪かった。またサイドパネルを配設しない場合は、左右の机の凹部カバーが天板上面に重複して露呈し、見栄えも好ましくなかった。
一方、サイドパネルの前端側を、天板の正面側からクランプ方式で連結された連結金具に連結する方向も提供されている。（例えば特許文献２）、
しかしながら、上記クランプ方式を採用する場合は、天板下方に取付用空間が存在することが必要であり、いわゆる、天板の左右端部側下面の少なくとも一方、あるいは両側に袖キャビネットが連結された机（一般的に、片袖机あるいは両袖机と呼ばれるもの。）では、袖キャビネットが位置する箇所にサイドパネルを配設する事は困難であった。
【先行技術文献】
【特許文献】
【０００４】
【特許文献１】実公昭平７−６８１８号公報
【特許文献２】特許第５０４１３５８号公報（図６）
【発明の概要】
【発明が解決しようとする課題】
【０００５】
本発明は、全体として安価に製作でき、作業性に優れ、見栄えを損なうことがなく、片袖机あるいは両袖机に取付可能なデスクパネル等のオプション部材取付装置を提供することを課題とする。
【課題を解決するための手段】
【０００６】
上記課題を解決する為、本発明が第１の手段として構成したところは、天板の左右端部側下面の少なくとも一方に連結された袖キャビネットの前面側上端部に、袖キャビネットとほぼ同幅の化粧部材を設け、化粧部材の左右方向の所定位置に所定数の連結用凹部が形成され、連結凹部には凹部閉塞部材が前方から着脱自在に装着可能で、凹部閉塞部材が装着されていない状態で、前方からオプション取付金具が連結凹部に嵌入可能で、オプション取付金具は化粧部材の下方側から天板と連結されているものである。
【０００７】
次ぎに本発明が第２の手段として構成したところは、第１の手段に加え、化粧部材は、前端面が天板前端面より後方に位置し、天板前端部下面と袖キャビネット上端前面部間に形成された化粧部材取付空間に前方から嵌入可能で、下方側から袖キャビネットに連結され、袖キャビネットと化粧部材の連結箇所を前方から隠蔽する隠蔽突部が、前端面に下方に突出して形成されているものである。
【０００８】
次ぎに本発明が第３の手段として構成したところは、第２の手段に加え、天板は前端部下面が後方に向かって下方に傾斜する天板傾斜面を有し、化粧部材は上面が前方に向かって下方に傾斜する化粧部材傾斜面を有し、天板傾斜面と化粧部材傾斜面間に作業用空間を形成したものである。
【発明の効果】
【０００９】
本発明の第１の手段として構成したところによると、袖キャビネットの前面側上端部に設けた化粧部材に連結用凹部を形成し、連結凹部に前方からオプション取付金具が嵌入可能で、オプション取付金具は化粧部材の下方側から天板と連結可能に構成されているので、多数の机が既に並設された状態であっても、机を一切移動させることなくサイドパネル等のオプション部材を配設することができ、作業効率が非常に良い。
さらに、化粧部材は袖キャビネットとほぼ同幅で、左右方向の所定位置に所定数の連結用凹部が形成されているので、天板の左右端部側にサイドパネルを設ける以外にも、袖キャビネットが位置する箇所の天板の上方に、左右一対のオプション取付金具を利用して、棚、あるいはトレー台を取り付けることも可能である。
又、連結凹部には凹部閉塞部材が前方から着脱自在に装着可能であるから、サイドパネルを配設しない状態であっても、化粧部材の見栄えが低下することなく。天板上面での作業に影響を与えたり、天板の見栄えを低下させることもない。
さらに、オプション取付金具は、化粧部材の連結凹部に嵌入しているが、天板と連結される構成であるから、化粧部材が連結強度に影響を与えることはない。
【００１０】
本発明の第２の手段として構成したところによると、化粧部材は、袖キャビネットと化粧部材の連結箇所を前方から隠蔽する隠蔽突部が、前端面に下方に突出して形成されているので、化粧部材の連結箇所が露呈せず見栄えを低下させることはない。
又、化粧部材は、前端面が天板前端面より後方に位置し、化粧部材取付空間に前方から嵌入可能で、下方側から袖キャビネットに連結されるので、化粧部材が万一損傷しても、机全体を移動させる必要がなく簡単に取り替えることが可能である。
【００１１】
本発明の第３の手段として構成したところによると、前側が大きく開放する作業用空間を形成したので、オプション取付金具を連結凹部に嵌入する作業、転結凹部に凹部閉塞部材を装着する作業、あるいは凹部閉塞部材を連結凹部から取り外す作業が容易に行うことができる。
【図面の簡単な説明】
【００１２】
【図１】本発明を具備した片袖机の正面図である。
【図２】図１のＥ部拡大図である。
【図３】化粧部材の右半分の正面図である。
【図４】化粧部材の右半分の平面図である。
【図５】化粧部材の右側面図である。
【図６】図３のＡ−Ａ線拡大断面図である。
【図７】図３のＢ−Ｂ線拡大断面図である。
【図８】図３のＣ−Ｃ線拡大断面図である。
【図９】図３のＤ−Ｄ線拡大断面図である。
【図１０】凹部閉塞部材の正面図である。
【図１１】凹部閉塞部材の底面図である。
【図１２】凹部閉塞部材の左側面図である。
【図１３】図１０のＦ−Ｆ線断面図である。
【図１４】図１０のＧ−Ｇ線断面図である。
【図１５】オプション取付金具の正面図である。
【図１６】オプション取付金具の右側面図である。
【図１７】オプション取付金具の平面図である。
【図１８】凹部閉塞部材を装着した状態の本発明の要部断面図である。
【図１９】凹部閉塞部材を取り外した状態の本発明の要部断面図である。
【図２０】天板にオプション取付金具を連結した状態の要部断面図である。
【発明を実施するための形態】
【００１３】
天板の左右端部側下面の少なくとも一方に連結された袖キャビネットの前面側上端部に、袖キャビネットとほぼ同幅の化粧部材を設け、化粧部材の左右方向の所定位置に所定数の連結用凹部が形成され、連結凹部には凹部閉塞部材が前方から着脱自在に装着可能で、凹部閉塞部材が装着されていない状態で、前方からオプション取付金具が連結凹部に嵌入可能で、オプション取付金具は化粧部材の下方側から天板と連結され、化粧部材は、前端面が天板前端面より後方に位置し、天板前端部下面と袖キャビネット上端前面部間に形成された化粧部材取付空間に前方から嵌入可能で、下方側から袖キャビネットに連結され、袖キャビネットと化粧部材の連結箇所を前方から隠蔽する隠蔽突部が、前端面に下方に突出して形成され、天板は前端部下面が後方に向かって下方に傾斜する天板傾斜面を有し、化粧部材は上面が前方に向かって下方に傾斜する化粧部材傾斜面を有し、天板傾斜面と化粧部材傾斜面間に作業用空間を形成したものである。
【実施例】
【００１４】
以下、実施例を添付図面に基づいて詳述する。
図１および図２において、符号１００は片袖机を示し、片袖机１００は左右に所定間隔を有して配設された脚体１１と、袖キャビネット２と、脚体１１と袖キャビネット２の上面に連結された天板５と、脚体１１と袖キャビネット２の後端部間に配設された幕板４と、天板５の下面で、脚体１１と袖キャビネット２の上端部間に配設されたセンター引出５０等より構成されている。
【００１５】
袖キャビネット２は  図１８下面にアジャスターを有するキャビネット本体２１と、キャビネット本体２１の上下方向に配設された、上段引出２２、中段引出２３、下段引出２４と、上段引出２２の上方位置し、キャビネット本体２１と一体的に設けられた前端がキャビネット本体２１のやや前方に突出する化粧部材取付突片３１（図１８、図１９、図２０に示す。）に連結された化粧部材３を有している。そして、化粧部材３の左右端部には、凹部閉塞部材８，８が着脱自在に設けられている。
【００１６】
天板５は（図１８、図１９、図２０に示す。）、上面板５１の前端部下面に配設された前縁補強材５２と、前縁補強材５２の内側に配設された前補強材５３と、前縁補強材５２の前面に設けられた前飾縁５４等より構成されている。
そして、前縁補強材５２は、上面板５１の前端部下面に固着される上面固着片５２１と、上面固着片５２１の前端から垂下し、前面に前記前飾縁５４が固着される前飾固着片５２２と、前飾固着片５２の下端から後方に向かって下方に傾斜する天板傾斜面５２３と、天板傾斜面５２３の後端から水平状態で後方に突出し、前補強材５３の前端下面に固着される水平突片５２４より構成されている。
【００１７】
前記化粧部材取付突片３１は、前記前縁補強材５２の水平突片５３４の所定寸法下方に位置して、水平突片５３４の下方に化粧部材取付空間３００（図２０に示す。）を形成する連結用突片３１１と、連結用突片３１１の後端から上方に横向きＬ字形に連設され、キャビネット本体２１の上端部前端側で、キャビネット本体２１と一体化されるキャビネット本体固着部３１２より構成されている。
そして、連結用突片３１１には、前記化粧部材３が連結される所定数の化粧部材連結孔３１３・・・（図１８、図１９に示す。尚実施例では、左右方向中央部と左右端部の３箇所に設けられている。）と、化粧部材連結孔３１３の左右両側に、オプション取付金具６（図３に仮想線で示す。）を連結するための操作孔３１４、３１４（図２０に示す。）が形成されている。
【００１８】
前記化粧部材３は、左右方向中央部で、左右対称形に形成されているので、右半部についてのみ図示（図３から図８）し説明する。
化粧部材３は、左右方向に水平に形成された上面部３１と、上面部３１前端から前方下方に傾斜する化粧部材傾斜面３２と、化粧部材傾斜面３２の前端で下方に突出する隠蔽突部３３と、化粧部材傾斜面３２と隠蔽突部３３の左右の端面側の開口部分を閉塞する側壁部３４と、側壁部３４の後端縁から、内側方向に連設され、化粧部材傾斜面３３と隠蔽突部３４の左右の端部側後方の開口部分を閉塞する平面視横向きＬ字方の側端部後端閉塞部３５と、上面部３１の後端部から下方に突出して連設され、化粧部材傾斜面３３の後方の開口部分を閉塞する後面閉塞部３６と、上面部３１の左右の端部側に設けられた連結凹部７より合成樹脂材にて一体に形成されている。
尚、符号３７は補強用リブを示し、符号３８は、前記連結用突片３１１に設けられた左右方向中央部の化粧部材連結孔３１３に対応して形成され、連結ネジ３０・・・（図１８に示す。）と螺合する連結用筒部を示している。
【００１９】
連結凹部７は、化粧部材３の上面部３１の左右の端部側で、化粧部材傾斜面３２と上面部３１との左右の端部側の一部を切り欠いた左右同一に形成されているので、右側についてのみ説明する。
連結凹部７は、化粧部材傾斜面３２の切り欠かれた部分の側端面後方と上面部３１の側端面下方を閉塞する凹部左側壁７１と、凹部左側壁７１から所定寸法外側に離間し、側端部後端閉塞部３５の内側で後方に突出すると共に、切り欠かれた化粧部材傾斜面３２の他方側の側端面後方を閉塞する凹部右側壁７２と、凹部左右側壁７１、７２の下端部間を閉塞し、化粧部材傾斜面３２の切り欠かれた部分の上端面に連設された凹部底壁７４より構成されている。
【００２０】
そして、凹部左右側壁７１、７２の高さ方向略中央部に対向して内側方向に突出し、前後方向に延びる案内突条７５、７５が形成され、凹部底壁７４の前端部には下方に傾斜する案内段部７６１が形成され、案内段部７６１の後側に位置して、左右方向に係止凹溝７６が形成され、凹部底壁７４の後部左右方向中央部には、連結用突片３１１の化粧部材連結孔３１３に対応して連結用螺孔筒部７７が設けられ、連結用螺孔筒部７７の左右側に連結用突片３１１の操作孔３１４、３１４に対応して、挿通孔７８、７８が形成されている。
【００２１】
連結凹部７に着脱自在に取り付けられる凹部閉塞部材８（図１０から図１４）は、化粧部材傾斜面３２の切り欠かれた部分と、上面部３１の切り欠かれた部分の外形に沿って形成された外形閉塞部８１と、凹部底壁７４の上面に位置するよう外形閉塞部８１の前端下部から後方に向かって連設された閉塞底部８２と、外形閉塞部８１と閉塞底部８２との左右側端間を閉塞する左右閉塞側部８３、８３と、後端が開口し内部を空洞とした変移用空洞部８４０より、合成樹脂材にて一体に形成されている。
【００２２】
そして、閉塞左右側部８３、８３には、前記連結凹部７の案内突条７５、７５に対応して後端が開口するスライド案内溝８３１、８３１が形成され、閉塞底部８２の左右端部側底面には前後方向に渡って、連結凹部７に凹部閉塞部材８を嵌着した状態で凹部底壁７４の上面に接触する接触突条８２１、８２１が形成され、閉塞底部８２の左右方向中央部には、前端が外形閉塞部８１の前端からやや前方に突出し、外形閉塞部８１の前端下方に操作用間隙８２０を有する係脱操作片８４が変移用切欠き部８２２、８２２を介して形成され、閉塞底部８２の左右方向中央部には後端が開口する前記連結凹部７の連結用螺孔筒部７７をさけるための逃がし用きり欠き８２３が前後方向にわたって形成されている。
さらに、係脱操作片８４の前端側下面には前記連結凹部７の係止凹溝７６に係脱自在な係止突起８４１が下方に突出して形成されている。
【００２３】
凹部閉塞部材８は上記の如く形成され、連結用螺孔筒部７７が、逃がし用きり欠き８２３の前端部側に位置するよう、天板傾斜面５２３と化粧部材傾斜面３２間に形成される作業用空間６００（図１８に示す。〕を介して、連結凹部７の前方から嵌入して、スライド案内溝８３１、８３１の後端の開口に連結凹部７の案内突条７５、７５を嵌入させて、後方にスライドさせると、係止突起８４１が、凹部底壁７４の前端部に接触して、操作用間隙８２０を狭めるように係脱操作片８４を一旦持ち上げ、さらに、嵌入されると、係止突起８４１は係止凹溝７６に係止し、凹部閉塞部材８は連結凹部７に装着される。
このとき、係脱操作片８４の前端部は化粧部材３の化粧部材傾斜面３２より前方に突出した状態となる。そして、凹部閉塞部材８を連結凹部７から取り出すときは、この突出した箇所を指先、あるいは、案内段部７６１に差し込まれたマイナスドライバーで係脱操作片８４の前端を持ち上げ、係止突起８４１を係止凹溝７６から逸脱させた状態で凹部閉塞部材８が抜き出される。
【００２４】
オプション取付金具６（図１５から図１７に示す。）は、前記連結凹部７に前方から嵌入される嵌入連結部６１と、嵌入連結部６１の前端から、天板５の天板傾斜面５２３、前飾縁５４に沿って形成された前面連設部６２と、前面連設部６２の上端から上面板５１に沿って形成された、下面に緩衝材６３１を有する上面連設部６３と、上面連設部６３の側端から上方に突出し、側方からサイドパネル等が連結される側方連設部６４より構成されている。
そして、嵌入連結部６１の左右方向中央部には、凹部閉塞部材８の逃がし用切り欠き８２３と同様に切り欠き部６１１が形成され、切り欠き部６１１の両側には、操作孔３１４、３１４、挿通孔７８、７８に対応して連結用螺孔６５、６５が形成されている。
そして、連結用螺孔６５には、内部を六角形の空洞とし、連結用螺孔６５に螺合する締め付けネジ６６・・・が取り付けられている。
【００２５】
そして、凹部閉塞部材８が取り外された連結凹部７に前方より、オプション取付金具６の嵌入連結部６１を嵌入し、少なくとも、上段引出２２、中段引出２３等を抜き出したキャビネット本体２１の前面開口部分より、操作孔３１４、挿通孔７８を通して六角レンチ等にて、連結用螺孔６５に螺合させた締め付けネジ６６を回動させ、頭部（上端面）を天板５の水平突片５２４の下面に押し付けることで、オプション取付金具６を下方に引き下げ、天板５の上面板５１に緩衝材６３１を介して上面連設部６３を圧接させて、オプション取付金具６を天板５に連結させる。
オプション取付金具６を取り外すときは、締め付けネ６６ジを上記とは逆向きに回動させて、上面板５１と上面連設部６３の圧接状態を解除し、連結凹部７より嵌入連結部６１前方に抜き出す。
【産業上の利用可能性】
【００２６】
以上のように、本発明は、片袖机、両袖机のデスクパネルの取付装置に関し、袖キャビネットが位置する机の上面にも連結金具を設けることができるので、パネルの取り付けだけでなく、棚部等を天板上に構成することもでき、広く利用することができる。
【符号の説明】
【００２７】
２        袖キャビネット
３        化粧部材
３２      化粧部材傾斜面
３３      隠蔽突部
３００    化粧部材取付空間
５        天板
５２３    天板傾斜面
６        オプション取付金具
６００    作業用空間
７        連結用凹部
８        凹部閉塞部材        
【図１】
2014226352.tif 000003
【図２】
2014226352.tif 000004
【図３】
2014226352.tif 000005
【図４】
2014226352.tif 000006
【図５】
2014226352.tif 000007
【図６】
2014226352.tif 000008
【図７】
2014226352.tif 000009
【図８】
2014226352.tif 000010
【図９】
2014226352.tif 000011
【図１０】
2014226352.tif 000012
【図１１】
2014226352.tif 000013
【図１２】
2014226352.tif 000014
【図１３】
2014226352.tif 000015
【図１４】
2014226352.tif 000016
【図１５】
2014226352.tif 000017
【図１６】
2014226352.tif 000018
【図１７】
2014226352.tif 000019
【図１８】
2014226352.tif 000020
【図１９】
2014226352.tif 000021
【図２０】
2014226352.tif 000022